(57)【要約】パッケージ（１０）が、内側フレーム（１４）によって個別のタバコ群（１２、１３）を支持することができ、内側フレーム（１４）が、中心折曲げまたはプリーツ（２８）を有して群を位置付けする。共通の単一バリヤ層包装（１６）がタバコ群を取り囲んでいる。パッケージ（１０）は、スリーブ状シェル（２４０）内に収容されて、スライド・シェル・パケットと同様のパケットを形成することができる。アクセス・アパーチャ用の使い捨てカバー（４２４）を有するパッケージ４１０であって、カバーが、傾斜、湾曲、またはそれ以外の非整列状態の下縁部（４２４Ｂ）を有し、それによって縁部の位置の差をあまり目立たなくしたパッケージ４１０も開示されている。
2004510658.tif 000002
【特許請求の範囲】
【請求項１】
第１および第２の製品と、各製品を少なくとも部分的に取り囲む内側フレームと、前記製品および内側フレームを取り囲む密封外側包装とを有するパッケージ。
【請求項２】
前記内側フレームが、前記第１および第２の製品を分離するための手段を含む請求項１に記載のパッケージ。
【請求項３】
前記分離手段が、プリーツ構成、折曲げ構成、または他の構成を含み、該構成が、前記内側フレームに形成され、あるいは前記内側フレームに担持されている請求項２に記載のパッケージ。
【請求項４】
前記各製品それ自体が、製品群、例えばロッド状製品群を含んでいる請求項１から請求項３までのいずれか１項に記載のパッケージ。
【請求項５】
ロッド状製品の別個の群が、共通の内側フレームによって別個の位置に支持されている請求項４に記載のパッケージ。
【請求項６】
前記外側包装が、少なくとも１つのアパーチャ切欠または脆弱ライン、あるいは製品にアクセスする他の手段を含む請求項１から請求項５までのいずれか１項に記載のパッケージ。
【請求項７】
前記製品のそれぞれへ、または前記製品群のそれぞれへのアクセスを提供する別個のアクセス手段が存在する請求項６に記載のパッケージ。
【請求項８】
前記アクセス手段または各アクセス手段が、アクセス・アパーチャの上、もしくは前記包装にアクセス・アパーチャを画定している手段の上に接着して固定されるラベルまたは同様の手段を有している請求項６または請求項７に記載のパッケージ。
【請求項９】
前記パッケージが、さらなる上包みを有する内蔵式消費者製品、または上包みのない内蔵式消費者製品であること、あるいはスライド・シェル・パケット、またはヒンジ式蓋パケット内部に収容されることを特徴とする請求項１から請求項８までのいずれか１項に記載のパッケージ。
【請求項１０】
フレームを含むか、あるいは組み込んだ少なくとも１つの製品と、該製品が収容されるスリーブ状外側部分とを有するパッケージ。
【請求項１１】
前記製品が、１つまたは複数のパッケージを有しており、各パッケージが、少なくとも１のタバコ群と、該群を少なくとも部分的に支持する少なくとも１つの内側フレームとを収容している請求項１０に記載のパッケージ。
【請求項１２】
前記製品が、スライド上で前記スリーブ状部分内に配置されており、該スライドが、ベースを有しており、また側部フラップを有していない、あるいは高さおよび／または幅が小さい側部フラップを有している請求項１０に記載のパッケージ。
【請求項１３】
特にロッド状の製品群のためのパッケージにおいて、
アクセス・アパーチャを有する包装または他の容器であって、アクセス・アパーチャが前記容器の一端に隣接して配置された包装または他の容器と、
前記アパーチャを通してのパッケージ内容物へのアクセスに備える移動可能カバーであって、該カバーが、ラインを確定する縁部を有しており、該ラインが、前記製品の対向する端部に平行でなく、かつ／または該ラインが、前記パッケージに当接および整列されて配置された同様のパッケージのカバーの対応する縁部によって画定される対応するラインと整列されて配置されていない移動可能カバーと
を有するパッケージ。
【請求項１４】
前記パッケージが、密封バリヤ層を形成する包装を有する容器と、前記包装のアパーチャ切欠を覆うように接着して固定されるラベルを備えたカバーとを有しているＷＯ０１／１５９５７号、または前記ＷＯ９８／２２３６７号もしくはＷＯ９８／２２３６８号に開示された種類のパッケージを含む請求項１３に記載のパッケージ。
【請求項１５】
前記縁部が、傾斜した形状、山形の形状、湾曲した形状、または他の任意の不規則な形状、もしくは他の非平行な形状である請求項１３または請求項１４に記載のパッケージ。
【発明の詳細な説明】
【０００１】
本発明はパッケージに関するものであり、特に、限定されるものではないが、タバコまたはタバコ・フィルタ・ロッドなどのタバコ産業のロッド状の製品群（物品のグループ）を梱包または収容するパッケージに関するものである。
【０００２】
その開示全体を参照により本明細書に組み込むＷＯ０１／１５９７５号は、部分的に内側フレームに取り囲まれたタバコ群の周囲にタバコ・パッケージが形成されたパッケージング・システムを開示しており、このタバコ・パッケージは、密封バリヤ層（ｓｅａｌｅｄ　ｂａｒｒｉｅｒ　ｌａｙｅｒ）を含む包装材料を有している。密封バリヤ層は、金属化プラスチック薄板を含んでいてもよい。このシステムは、２つの経路に沿ってパッケージを製造し、その後、各経路からの１つのパッケージを共通のパッケージ内に封入するプロセスに送出される。共通のパッケージは、都合よくは、スライド・シェル・パケットを含むことができる。この共通のパッケージに送出されるパッケージは、さらに詳細な情報のために参照するＷＯ９８／２２３６７号またはＷＯ９８／２２３６８号に開示されたものと同様の形状にしてもよい。
【０００３】
本発明の１つの観点によれば、パッケージが、第１および第２の製品と、各製品を少なくとも部分的に取り囲む内側フレームと、これら製品および内側フレームを取り囲む密封外殻包装とを有している。内側フレームは、好ましくは、製品を分離するための手段を含み、この分離手段は、内側フレームに形成されたプリーツ（ひだ）構成、折曲げ構成、または他の構成とすることができる。各製品それ自体が、製品群、例えばロッド状製品群を有することができ、好ましい構成では、別個のロッド状製品群が、共通の内側フレームによって個別の位置に支持されている。好ましくは、外殻包装が、少なくとも１つのアパーチャ切欠または脆弱ライン、あるいは製品にアクセスするための他の手段を含んでおり、また好ましくは、前記製品のそれぞれ、または前記製品群のそれぞれへのアクセスを提供する個別のそのような手段が存在する。これら各アクセス手段は、アクセス・アパーチャを覆うように、または包装のアクセス・アパーチャを画定する手段を覆うように接着固定されるラベルまたは同様の手段を有していてもよい。パッケージは、さらに上包みを有する内蔵式消費者製品（ｓｅｌｆ−ｃｏｎｔａｉｎｅｄ　ｃｏｎｓｕｍｅｒ　ｐｒｏｄｕｃｔ）とすること、あるいは上包みのない内蔵式消費者製品とすることができ、あるいはスライド・シェル・パケットまたはヒンジ付き蓋パケット内部に収容されていてもよい。２つの密封パッケージが共通のパッケージ内に組み込まれる前記ＷＯ０１／１５９７５号によって企図された製品と比較すると、本発明によるパッケージは、共通の外殻包装を有することによって、より少ない包装材料を使用している。追加の利点は、各製品のために個別の内側フレームを取り扱うのではなく、プリーツ構成、折曲げ構成、または他の構成を備えた共通の内側フレームを使用できることにある。
【０００４】
本発明の別の観点によれば、パッケージが、フレームを含むかまたは組み込んだ少なくとも１つの製品と、製品を収容するスリーブ状外殻部分とを有している。したがって、パッケージは、スライド・シェル・パケットと同様であり、実質的に同じように動作することができ、フレームが製品に、スライドとして動作するのに必要とされる剛性を提供する。製品は、少なくとも１つのタバコ群と、その群を少なくとも部分的に支持する少なくとも１つの内側フレームとをそれぞれ収容する１または複数のパッケージを有していてもよい。代替形態のパッケージでは、製品が、スライド上のスリーブ状部分内に配置され、このスライドは、ベース（基部）を有するが、両側部フラップを有しておらず、あるいは高さおよび／または幅が小さい側部フラップを有している。やはり、スリーブ内部の１つまたは複数の製品の一体性が（１または複数の）フレームによって維持され、それにより、従来のスライドおよびシェル・パケットと異なり、スライドが提供されている場合でさえ、内側フレームを有さないタバコの箔包装群などの製品で必要とされる側部を有する必要がない。パッケージ内部に２つの製品が存在する場合には、従来の形の個別または共通のスライド、または上述したような側部フラップがないか、サイズが小さい側部フラップを有する個別または共通のスライドが存在していてもよい（あるいはスライドが存在しなくてもよい）。
【０００５】
本発明の他の観点によれば、パッケージが、特にロッド状製品群のために、容器の一端に隣接して配置されたアクセス・アパーチャを有する包装または他の容器と、前記アパーチャを通してパッケージ内容物へのアクセスを提供する移動可能カバーとを有しており、このカバーは、製品の対向する端部に平行でないラインを画定する縁部を有している。あるいは、この縁部によって確定されるラインは、前記パッケージに当接および位置合わせされて配置される同様のパッケージのカバーの対応する縁部によって画定される対応するラインと位置を合わせて配置されていないラインとすることもできる。特に、パッケージは、密封バリヤ層を形成する包装を含む容器と、包装のアパーチャ切欠の上に接着して固定されるラベルを含むカバーとを有するＷＯ０１／１５９５７号、または前記ＷＯ９８／２２３６７号もしくはＷＯ９８／２２３６８号に開示された種類のパッケージを含むことができる。カバーが、定義されたような非平行縁部を有するようにすることによって、パッケージの高速製造で避けることができない場合があるカバーの位置のわずかなばらつき、またはカバーの適用の位置合わせ誤差が、特に隣接するパッケージと比較するときにあまり見えなくなる。縁部は、傾斜した形状、角度を有する形状、湾曲した形状、または任意の他の不規則な形状、もしくは他の非平行な形状としてもよい。パッケージが別の容器、例えばスライド・シェル・パケットまたはヒンジ式蓋パケット内部に収容されている場合、非平行縁部は、カバーの適切な縁部の位置の差があまり明らかにならない点で有利であり、この差は、特に、複数のパッケージが互いに隣接して配置される場合、または１以上の縁部が、縁部の位置の比較のための基準として使用することができるラインまたはパケットの縁部に隣接して位置することができ、したがって、パッケージ間、または隣接するパッケージ内のそのような縁部の位置間の差が強調される場合に、普通は明らかになり得る。パッケージの形状が概して平行六方体である場合、前記ラインは、好ましくは、ラインが内部または上部に位置するパッケージの表面の任意の縁部に平行でなく、垂直でもない。
【０００６】
本発明を、単に例として、添付概略図面（縮尺は一定でない）を特に参照してさらに説明する。
【０００７】
図１〜図５を参照すると、パッケージ１０が、板紙製内側フレーム１４によって部分的に取り囲まれて配置されたそれぞれ１２本および１３本のタバコを収容する２つの個別のタバコ群１２、１３を含んでおり、これらタバコおよび内側フレームは、包装部分１６内に封入されている。包装部分１６は、熱シール可能な金属化プラスチック薄板から作成されたバリヤ層パネル１８を有し、このパネル１８は、ラベル２４、２６によってそれぞれ覆われる２つのアパーチャ切欠２０、２２を備えている。ラベル２４、２６も金属化プラスチック薄板材料から作成してもよい。ラベル２４、２６はそれぞれ、アパーチャ切欠２０、２２におけるパネル１８部分に接着して固定され、それにより、図２に示されるように、タバコへのアクセス・アパーチャを提供するようにラベルを持ち上げることができる。ラベル２４、２６はそれぞれタブ部分２４Ａ、２６Ａを有し、この部分はパネル１８に接着して固定されておらず、それにより、消費者が開くためにより簡単に把持することができるようになっている。各ラベルの内面の他の部分は、再利用可能な接着剤を備え、それによりそれぞれのアパーチャの上に再密封することができるようになっている。パッケージ１０は、前記ＷＯ９８／２２３６７号およびＷＯ９８／２２３６８号、ならびにＷＯ０１／１５９７５号に開示されたパッケージと多くの類似点を有する。本発明のパッケージに適用することができるさらに詳しい情報について、これらの出願それぞれを参照されたい。
【０００８】
図４および図５で最も良く見ることができるように、タバコの群１２と１３は、内側フレーム１４のプリーツ部分または折曲げ部分２８によって分離されている。したがって、内側フレーム１４は、折曲げ部分２８の中心折りラインに沿って一体に接合された、前記ＷＯ０１／１５９７５号の図４、または前記ＷＯ９８／２２３６８号の図１３および１４に示される２つの内側フレームに相当する。前記ＷＯ９８／２２３６８号で開示されているような内側フレームの他の基本形状を使用することもできる。
【０００９】
タバコ群１２、１３は、前記ＷＯ０１／１５９７５号で開示されている装置で組み上げることができ、この群のラッピングは、類似の方法で達成することができ、包装部分１６は、横方向に離隔されたラベル２４、２６が上に配置されるようになっている横方向に離隔されたアパーチャ切欠２０、２２を適切に備えた大きな幅のウェブから得られることを理解されたい。
【００１０】
図６および図７に示されるパッケージ１１０は、前記ＷＯ０１／１５９７５号の図１および図２に示されるものと同様であり、板紙（カード）製の内側フレーム１１４によって部分的に取り囲まれて、包装部分１１６内に封入されたタバコ群を備えている。包装部分１１６は、アパーチャ切欠１２０を含むパネル１１８と、このパネルに接着固定されたラベル１２４とを有している。前と同様に、パネル１１８およびラベル１２４の材料は金属化プラスチック薄板であり、それにより、完成したパッケージにおいて、包装部分１１６がバリヤ層を形成する。内側フレーム１１４は、前記ＷＯ０１／１５９７５号の図３に示されているものと実質的に同様であり、部分２８の折りラインの各側の、内側フレーム１４の類似形状の部分の１つと同様である。
【００１１】
長方形のスリーブまたはシェル２４０に含まれる一対のパッケージ１１０を備えるパッケージ２１０が図８Ａに示されている。パッケージ２１０は、スライド・シェル・パケットと構成が類似しており、タバコの単一の、または２つの束を組み込むことができる。タバコ産業で使用されている従来のスライド・シェル・パッケージでは、１つまたは複数のタバコの束が、板紙製のベース・パネルと、側部および端部フラップとを備えるスライド上に支持され、このスライドはシェル内で摺動可能であり、内容物へのアクセスを可能にする。タバコ・パッケージ１１０はそれぞれ支持内側フレーム１１４をすでに組み込んでいるので、パッケージ内部のタバコ群は、個別のスライドを必要とせずにシェル２４０内部でパッケージ１１０を摺動させることができるように十分よく支持されている。パッケージ２１０は２つのパッケージ１１０を含むが、明らかに、個別スライドを有さない同様のパッケージが単一のパッケージ１１０のみを収容することができ、単一のパッケージ１１０のみを含むように適切に寸法を取られていてもよい。
【００１２】
パッケージ２１０は個別スライドを必要としないが、図１４に示されるようなスライドを提供することもでき、図１４は、パッケージ内で使用するためのスライド用のブランク２６０を例示している。適切な板紙製材料から作成されるブランク２６０が、ベース２６２と、端部フラップ２６６を画定する折りライン２６４とを有し、端部フラップ２６６がそれぞれ、タックイン・フラップ２７０を画定するさらなる折りライン２６８を組み込む。使用の際、パッケージ１１０は、シェル２４０内部のベース２６２上に互いに並べて配置され、端部フラップ２６６がベースに垂直に位置するように折り曲げられ、タックイン・フラップ２７０が端部フラップに垂直に位置するように内側に折り曲げられ、それによりシェル内部のパッケージの端部を覆う。どちらかの端部フラップを押すと、スライド全体および収容されているパッケージ１１０が移動して、反対側の端部フラップを解放し、シェル２４０の反対側の端部を越えてアクセスできるようにパッケージ１１０が露出されることを理解されたい。ブランク２６０から形成されるスライドは、側部フラップがない点で従来のスライドとは異なる（側部フラップは、内側フレーム１１４が存在することでパッケージ１１０が少なくとも横方向の安定性を有するので存在しない）。しかし、図１４に示すように、側部フラップ２７４を提供することもできる。この場合、側部フラップ２７４は、ブランク２６０の側縁部に相当する位置にある折りラインの周りで折り曲げられ、シェル２４０内のパッケージ１１０の外側に沿うように位置する。側部フラップ２７４は、図１４に示される代替のより小さな側部フラップ２７４Ａによって示されるように、パッケージ１１０およびシェル２４０の対応する側部の完全な高さまたは幅を必要としない。
【００１３】
図８Ａに示されるパッケージ２１０では、パッケージ内容物へのアクセスを可能にするようにラベル１２４を露出するための位置にそれぞれが上方へスライドされた姿勢のパッケージ１１０が示されている。明らかなことに、スライド２６０が存在しない場合、ただ１つの内容物へのアクセスを得るために両方のパッケージを露出位置にスライドさせる必要はなく、しかし自然にそのようになる場合もある。そのようなスライドが存在する場合には、図示されるように両方のパッケージが前進される。図８Ａに示される位置では、スライドが存在しているか否かに関わらず、アクセスを可能にするために露出する必要があるラベル１２４のタブ部分１２４Ａの下縁部１２４Ｂがそれぞれ、シェル２４０の対応する端縁部２４０Ａに近接して、実質的にそれと平行に位置している。パッケージ１１０の製造で利用されるものなどの高速の製造プロセスでは、ラベル１２４が、精密に対応する位置で個々のパッケージに適用されることを保証することはできないことを理解されたい。例えば、長手方向位置が最大±１ｍｍ変動する場合がある。個別パッケージ１１０では、そのような変動は受け入れることができるものであることが判明しているが、２つのパッケージが互いに並べて配置されており、（縁部２４０Ａなどの）基準ラインに隣接して配置される場合、図８Ｂおよび図８Ｃに示されるようにパッケージ上でのラベルの位置決めの不均衡が明らかになり、図８Ｂおよび図８Ｃはそれぞれ、（フルスケールで）±０．５ｍｍおよび±１ｍｍに対応する隣接パッケージのラベルの位置の差を示し、これは受け入れることができない場合がある。
【００１４】
図９Ａ〜図９Ｃは、パッケージ３１０のシェル３４０の隣接縁部３４０Ａに非平行な傾斜下縁部４２４Ｂを有するラベル４２４を有すること以外はパッケージ１１０と同様の、パッケージ４１０を収容する代替パッケージ３１０を示す。図８Ｂおよび図８Ｃで示されるサンプルの対応するラベルと同じ量だけ位置が異なるラベル４２４を有する隣接パッケージ４１０を備えるパッケージ３１０のサンプルを示す図９Ｂおよび図９Ｃで見ることができるように、ラベル４２４のスタイルでのそのような差の視覚効果は、例えば図９Ｃと同様の製品が製造品質管理基準によって許容され、一方、図８Ｃと同様の製品が許容されない程、大幅に低減される。
【００１５】
縁部４２４Ｂと３４０Ａの非平行の部分が、様々なパッケージでのそれぞれの縁部の位置の差の視覚的なインパクトを弱める働きをする。より一般的には、パッケージの側面に平行または垂直な方向以外の方向での縁部４２４Ｂの部分は、特に隣接パッケージが比較されやすい場合に有益である。図１０〜図１３は、パッケージ５１０の隣接する上縁部５４０Ａに実質的に非平行な下縁部６２４Ｂ〜９２４Ｂをそれぞれ有するラベル６２４〜９２４を有すること以外はパッケージ１１０と同様である、様々な形態のパッケージ６１０〜９１０を収容する代替スタイルのパッケージ５１０を示す。また、これにより、縁部６２４Ｂ〜９２４Ｂは、パッケージと整列状態にその近傍に配置および／または隣接して配置される実質的な部分を有さない。
【００１６】
図１０のラベル６２４は、図示されるように湾曲された下縁部６２４Ｂを含む。図１１のラベル７２４は、縁部６２４Ｂとは形状が異なる湾曲下縁部７２４Ｂを有し、さらに湾曲側部を有する。パッケージ７１０はまた、それに対応する湾曲アパーチャ切欠７２０を含む。図１２のパッケージ８１０は、角度を付けられたラベル８２４（それ自体、ラベル１２４と実質的に同様である）と、それに対応して角度を付けられたアパーチャ切欠８２０とを有する。図１３のパッケージ９１０は、比較的直線のアパーチャ切欠９２０の上に配置された、角度付きの下端部９２４Ｂと角度付きの側部とを有するラベル９２４を有する。
【００１７】
パッケージ５１０は、パッケージ１１０と同様の単一のパッケージを収容すること以外はパッケージ３１０と同様にすることができる。隣接するパッケージが参照番号３１０などの共通のパッケージ内に収容される場合に、開示したように非平行縁部を有するラベルを使用することによって追加の利点が得られるけれども、特に、そのようなパッケージが（例えばカートン内で）群として販売されており、２つ以上のパッケージを容易に比較することができる場合にも、やはり個別パッケージ５１０にそのようなラベルを使用する利点があることを理解されたい。この点で、パッケージ５１０が、それぞれのパッケージ６１０〜９１０を収容する（スライド・シェル・パッケージではなく）ヒンジ式蓋パッケージであってもよいことに留意されたい（図１０〜図１３では蓋が示されていない）。パッケージ６１０〜９１０の任意のものを、図８Ａ〜図８Ｃまたは図９Ａ〜図９Ｃでのパッケージ１１０または４１０の代用とすることができる。
【００１８】
図１５は、図１〜図５に示される形態のパッケージ１０を収容するパッケージ２１０を示す。パッケージ２１０は、図８Ａに示されるものと同様のシェル２４０を含み、しかし、図１４に示されるものと同様のスライドを含む必要はなく、パッケージおよび／またはスライドについて開示した任意の修正を組み込むことができる。
【図面の簡単な説明】
【図１】
タバコ・パッケージの側面図である。
【図２】
開いた状態での、図１のパッケージの側面図である。
【図３】
図２の矢印ＩＩＩの方向での図である。
【図４】
図２のラインＩＶ−ＩＶでの拡大断面図である。
【図５】
図１のパッケージに関する内側フレーム用のブランクの平面図である。
【図６】
別のタバコ・パッケージの側面図である。
【図７】
図６のＶＩＩの方向の図である。
【図８Ａ】
他のタバコ・パッケージのわずかに異なるサンプルの１つの側面図である。
【図８Ｂ】
他のタバコ・パッケージのわずかに異なるサンプルの１つの側面図である。
【図８Ｃ】
他のタバコ・パッケージのわずかに異なるサンプルの１つの側面図である。
【図９Ａ】
さらに他のタバコ・パッケージのわずかに異なるサンプルの１つの側面図である。
【図９Ｂ】
さらに他のタバコ・パッケージのわずかに異なるサンプルの１つの側面図である。
【図９Ｃ】
さらに他のタバコ・パッケージのわずかに異なるサンプルの１つの側面図である。
【図１０】
さらに他のタバコ・パッケージの側面図である。
【図１１】
さらに他のタバコ・パッケージの側面図である。
【図１２】
さらに他のタバコ・パッケージの側面図である。
【図１３】
さらに他のタバコ・パッケージの側面図である。
【図１４】
図８Ａ〜図８Ｃのパッケージのためのスライド用ブランクの平面図である。
【図１５】
図１のパッケージを組み込んだ、さらに他のパッケージの側面図である。
【国際公開パンフレット】
2004510658.tif 000003
2004510658.tif 000004
2004510658.tif 000005
2004510658.tif 000006
2004510658.tif 000007
2004510658.tif 000008
2004510658.tif 000009
2004510658.tif 000010
2004510658.tif 000011
2004510658.tif 000012
2004510658.tif 000013
2004510658.tif 000014
2004510658.tif 000015
2004510658.tif 000016
2004510658.tif 000017
2004510658.tif 000018
2004510658.tif 000019
【国際公開パンフレット（コレクトバージョン）】
2004510658.tif 000020
2004510658.tif 000021
【国際調査報告】
2004510658.tif 000022
2004510658.tif 000023
2004510658.tif 000024
2004510658.tif 000025
2004510658.tif 000026
2004510658.tif 000027
2004510658.tif 000028
2004510658.tif 000029
2004510658.tif 000030